(57)【要約】  可撓性の光導波路及びその光導波路を組み込んだディスプレイシステムを開示する。光導波路は、第１の可撓性層と第２の可撓性層とを備えている。各可撓性層は、第１の主要面と第２の主要面とを有している。第１の可撓性層の第２の主要面は、第２の可撓性層の第１の主要面と接触している。第１の可撓性層の第１の主要面は、光が第１の可撓性層の第１の主要面の全体にわたって均一に抽出されるように、光導波路内を伝播する光を抽出することが可能な複数の離散した光抽出器を有している。
2009539146.tif 000002
【特許請求の範囲】
【請求項１】
各層が第１の主要面と第２の主要面とを有する第１の可撓性層と第２の可撓性層とを備える光導波路であって、前記第１の可撓性層の前記第２の主要面が、前記第２の可撓性層の前記第１の主要面と接触し、前記第１の可撓性層の前記第１の主要面が、光が前記第１の可撓性層の前記第１の主要面の実質的に全体にわたって均一に抽出されるように、前記光導波路内を伝播する光を抽出することが可能な複数の離散型光抽出器を有する光導波路。
【請求項２】
前記第２の可撓性層の平均厚さが、前記第１の可撓性層の最大厚さの少なくとも１０倍である、請求項１に記載の光導波路。
【請求項３】
前記第２の可撓性層の平均厚さが、前記第１の可撓性層の最大厚さの少なくとも２０倍である、請求項１に記載の光導波路。
【請求項４】
前記第２の可撓性層の平均厚さが、前記第１の可撓性層の最大厚さの少なくとも４０倍である、請求項１に記載の光導波路。
【請求項５】
前記第２の可撓性層の平均厚さが、７００ミクロンの大きさしかない、請求項１に記載の光導波路。
【請求項６】
前記第２の可撓性層の平均厚さが、４００ミクロンの大きさしかない、請求項１に記載の光導波路。
【請求項７】
前記第２の可撓性層の平均厚さが、２５０ミクロンの大きさしかない、請求項１に記載の光導波路。
【請求項８】
前記第１の可撓性層の平均厚さが、５０ミクロンの大きさしかない、請求項１に記載の光導波路。
【請求項９】
前記第１の可撓性層の平均厚さが、２０ミクロンの大きさしかない、請求項１に記載の光導波路。
【請求項１０】
前記第１の可撓性層の平均厚さが、１５ミクロンの大きさしかない、請求項１に記載の光導波路。
【請求項１１】
前記第１の可撓性層が、前記複数の離散型光抽出器を分離する実質的に平坦なランド領域を有し、前記ランド領域の平均厚さが、１０ミクロンの大きさしかない、請求項１に記載の光導波路。
【請求項１２】
前記ランド領域の平均厚さが、５ミクロンの大きさしかない、請求項１１に記載の光導波路。
【請求項１３】
前記第１の可撓性層と第２の可撓性層のうちの少なくとも一つが、約１５ｍｍの曲率半径まで損傷を伴うことなく曲げることが可能である、請求項１に記載の光導波路。
【請求項１４】
前記第１の可撓性層と第２の可撓性層のうちの少なくとも一つが、約５ｍｍの曲率半径まで損傷を伴うことなく曲げることが可能である、請求項１に記載の光導波路。
【請求項１５】
前記第２の可撓性層の前記第１の主要面と第２の主要面とが、実質的に並行である、請求項１に記載の光導波路。
【請求項１６】
前記複数の離散型光抽出器のうちの少なくともいくつかが、凹型構造を備える、請求項１に記載の光導波路。
【請求項１７】
前記複数の離散型光抽出器のうちの少なくともいくつかが、凸型構造を備える、請求項１に記載の光導波路。
【請求項１８】
前記複数の離散型光抽出器のそれぞれが、実質的に半球状の凸型レンズレットである、請求項１に記載の光導波路。
【請求項１９】
前記第２の可撓性層の縁部に隣接して配置された光源を更に備える、請求項１に記載の光導波路。
【請求項２０】
前記複数の離散型光抽出器が、前記光源を中心とする同心円弧に沿って配置され、各円弧が、少なくとも２つの離散型光抽出器を包含する、請求項１９に記載の光導波路。
【請求項２１】
前記複数の離散型光抽出器が、相互に並行な線に沿って配置され、各線が、少なくとも２つの離散型光抽出器を包含する、請求項１に記載の光導波路。
【請求項２２】
前記第１の可撓性層の前記第２の主要面の実質的に全体が、前記第２の可撓性層の前記第１の主要面の実質的に全体と接触する、請求項１に記載の光導波路。
【請求項２３】
前記第２の可撓性層が、ＵＶ硬化高分子を含む、請求項１に記載の光導波路。
【請求項２４】
可撓性である、請求項１に記載の光導波路。
【請求項２５】
少なくとも１つの位置合わせ用のタブ又はノッチを更に備える、請求項１に記載の光導波路。
【請求項２６】
前記第１の可撓性層と第２の可撓性層の少なくとも一つが、バルク拡散体である、請求項１に記載の光導波路。
【請求項２７】
前記第１の可撓性層と第２の可撓性層とが、等方性である、請求項１に記載の光導波路。
【請求項２８】
第１の主要面と第２の主要面とを有する第３の可撓性層を更に備え、前記第３の可撓性層の前記第１の主要面が、前記第２の可撓性層の前記第２の主要面と接触し、前記第３の可撓性層の前記第２の主要面が、前記光導波路内を伝播する光を抽出することが可能な複数の離散型光抽出器を有する、請求項１に記載の光導波路。
【請求項２９】
前記第３の可撓性層が、等方性である、請求項２８に記載の光導波路。
【請求項３０】
第２の可撓性層の主要面の実質的に全体の上に接触して設けられた第１の可撓性層を備える可撓性の光導波路であって、前記第１の可撓性層は複数の離散型光抽出器を有し、前記可撓性層内を全内面反射によって伝播する光が、前記複数の離散型光抽出器によって抽出され、前記抽出された光の強度プロファイルが、光導波路の実質的に全体にわたって均一である、光導波路。
【請求項３１】
第２の可撓性層に付着され、第２の可撓性層を被覆する第１の可撓性層を備える光導波路であって、複数の離散型光抽出器が、前記第１の可撓性層の主要面の全体にわたって分散され、前記光抽出器が、前記光導波路内を伝播する光を抽出することが可能である、光導波路。
【請求項３２】
可撓性である、請求項３１に記載の光導波路。
【発明の詳細な説明】
【技術分野】
【０００１】
本発明は、一般には、光導波路及びその光導波路を組み込んだディスプレイに関する。具体的には、本発明は、多層で可撓性の光導波路に関する。
【背景技術】
【０００２】
液晶ディスプレイ（ＬＣＤ）などの光ディスプレイは、ますます一般的なものとなりつつあり、例えば、携帯電話、携帯情報端末（ＰＤＡ）からラップトップコンピュータに至る携帯コンピュータデバイス、携帯デジタルミュージックプレイヤー、ＬＣＤデスクトップコンピュータのモニター、及びＬＣＤテレビに用途が見出されている。より普及しつつあることに加えて、ＬＣＤを組み込んだ電子デバイスの製造業者がより小型のパッケージサイズを追求するにつれて、ＬＣＤはより薄型になりつつある。
【０００３】
多くのＬＣＤは、ＬＣＤのディプレイ領域を照明するためのバックライトを使用している。バックライトは、典型的には、スラブ又はウェッジの形をした光導波路を備えており、その光導波路は、多くの場合、光透過性の、例えば射出成形によって製造される高分子材料でできている。多くの用途において、バックライトは、光導波路の１つ以上の縁部から光を光導波路の中に結合する１つ以上の光源を有している。スラブ導波路において、結合された光は、典型的には、光の一部分を光導波路から抜け出させる何らかの機構に出会うまで、光導波路の頂部及び底部からの完全な内部反射によって光導波路の中を進む。これらの機構は、多くの場合、光散乱材料でできた、印刷されたドットである。この印刷されたドットは、一般には、スクリーン印刷技法によって作製される。
【発明の開示】
【課題を解決するための手段】
【０００４】
一般に、本発明は、光導波路に関する。本発明は、又、光導波路を組み込んだディスプレイに関する。
【０００５】
本発明の一実施形態において、光導波路は、第１の可撓性層と第２の可撓性層とを有している。各可撓性層は、第１の主要面と第２の主要面とを有している。第１の可撓性層の第２の主要面は、第２の可撓性層の第１の主要面と接触している。第１の可撓性層の第１の主要面は、光導波路内を伝播する光を抽出することが可能な、複数の離散型光抽出器を有している。光は、第１の可撓性層の第１の主要面にわたって均一に抽出される。
【０００６】
本発明の別の実施形態において、可撓性の光導波路は、第２の可撓性層の主要面の全体の上に接触して設けられた第１の可撓性層を備えている。第１の可撓性層は、複数の離散型光抽出器を有している。完全な内部反射によって可撓性層内を伝播する光は、その複数の離散型光抽出器によって抽出される。抽出された光の強度プロファイルは、光導波路にわたって均一である。
【０００７】
本発明の別の実施形態において、光導波路は、第２の可撓性層に付着され且つ第２の可撓性層を被覆する第１の可撓性層を有している。複数の離散型光抽出器が、第１の可撓性層の主要面全体にわたって分散されている。この光抽出器は、光導波路内を伝播する光を抽出することが可能である。
【発明を実施するための最良の形態】
【０００８】
本発明は、一般には、望ましい照明をディスプレイシステムにおいて得るための光導波路を組み込んだバックライトに適用される。本発明は、具体的には、容易に且つ経済的に製造することができる薄い可撓性の光導波路に適用される。
【０００９】
本発明は、バックライトにおいて使用するための、多層で薄く且つ可撓性の光導波路を開示する。この光導波路は、連続的な鋳造及び硬化プロセスなどの連続的なロールツーロール法（roll to roll）を使用して製作することができる。本発明の一つの利点は、ディスプレイの厚さが削減されることである。本発明のもう一つの利点は、コストが削減されることである。
【００１０】
図１は、バックライトシステム１００の概略的側面図である。バックライトシステム１００は、光導波路１１０と、光導波路１１０の縁部１１１に隣接して配置された光源１５０と、光源１５０から光導波路１１０への光の結合を促進するための光結合器１６０とを有している。図１に示す例示的な実施形態において、光結合器１６０は、光導波路１１０とは異なるものである。いくつかの用途において、光結合器１６０は、例えば適切な湾曲を光導波路１１０の縁部１１１に設けることによって、光導波路１１０の一体部分となっていてもよい。
【００１１】
光導波路１１０は、第１の主要面１２１と第２の主要面１２２とを有する第１の可撓性層１２０と、第１の主要面１３１と第２の主要面１３２とを有する第２の可撓性層１３０とを備えている。第２の主要面１２２は、第１の主要面１３１と接触している。いくつかの実施形態において、第２の主要面１２２の実質的に全体が、第１の主要面１３１の実質的に全体と接触している。
【００１２】
光源１５０からの光は、主要面１２１及び１３２からの反射によって光導波路１１０内を概ねｚ方向に伝播するが、この反射は、必要に応じて、本質的に完全な内部反射とすることができる。例えば、光線１７３は、点１７３Ａにおいて主要面１２１、及び点１７３Ｂにおいて主要面１３２での完全な内部反射を受ける。
【００１３】
第１の主要面１２１は、光導波路１１０内を伝播する光を抽出することが可能な、複数の離散型光抽出器１４０を備えている。例えば、光抽出器１４０は、光導波路１１０内を伝播し光抽出器１４０に入射する光線１７１の少なくとも一部分を抽出する。別の例として、光抽出器１４０Ａは、光導波路１１０内を伝播し光抽出器１４０Ａに入射する光線１７３の少なくとも一部分を抽出する。一般に、隣接する光抽出器同士の間隔は、主要面１２１上の場所ごとに異なりうるものである。更に、光抽出器の形状、各高さ、及び／又は寸法は、光抽出器ごとに異なりうるものである。そのような変動は、主要面１２１上の異なる場所で抽出される光の量を制御するのに有用となりうる。
【００１４】
所望により、光抽出器１４０は、光が第１の主要面１２１の実質的に全体にわたって均一に抽出されるように、第１の主要面１２１に沿って設計し配置することができる。
【００１５】
更に、隣接する光抽出器は、平均厚さ「ｄ」を有する実質的に平坦なランド領域１８０によって分離することができる。いくつかの実施形態において、ランド領域１８０の平均厚さは、２０ミクロン、又は１５ミクロン、又は１０ミクロン、又は５ミクロン、又は２ミクロンの大きさしかない。
【００１６】
図１に示す例示的な実施形態において、光抽出器１４０は、複数の離散型光抽出器を形成している。いくつかの用途において、光抽出器１４０は、正弦波状のプロファイルなどの連続的なプロファイルを形成してもよく、そのプロファイルは、例えばｙ軸及びｚ軸に沿って延びていてもよい。
【００１７】
光抽出器１４０及び／又はランド領域１８０は、光導波路１１０内部を伝播する間に拡散機構に入射しうる光の一部分、例えばごくわずかな部分を散乱させるための光拡散機構１４１を有していてもよい。拡散機構１４１は、光を光導波路から抽出するのを支援することができる。更に、拡散機構１４１は、光導波路１１０内部を伝播する光の強度の均一性を、例えば光を横方向にｙ軸に沿って散乱させることによって改善することができる。
【００１８】
拡散機構１４１は、面１２１上に例えばコーティングによって設けられた光拡散層とすることができる。別の例として、微細複製加工、エンボス加工、又は、光抽出器１４０と拡散機構１４１とを同時に又は順次に形成するために使用しうる他の任意の方法など、任意の好適なプロセスによって光抽出器１４０を作製する間に、拡散機構１４１を形成することができる。
【００１９】
可撓性層１２０と１３０の少なくとも一つは、例えばホスト材料内に分散したゲスト材料の小さな粒子を含有することによるバルク拡散体であってもよく、そのバルク拡散体において、ゲスト材料とホスト材料は異なる屈折率を有している。
【００２０】
第１の可撓性層１２０は第１の屈折率ｎ１を有し、第２の可撓性層１３０は第２の屈折率ｎ２を有しており、ｎ１及びｎ２は、例えば、電磁スペクトルの可視域にある屈折率とすることができる。本発明の一実施形態において、ｎ１はｎ２以上である。いくつかの用途において、ｎ１は、Ｓ−偏光した入射光とＰ−偏光した入射光の双方に対し、ｎ２以上である。
【００２１】
いくつかの実施形態において、第１の可撓性層１２０と第２の可撓性層１３０の少なくとも一つとが、屈折率において等方性である。いくつかの実施形態において、双方の層が等方性である。
【００２２】
光源１５０は、蛍光ランプ又は発光ダイオード（ＬＥＤ）など、いかなる好適な種類の光源であってもよい。更に、光源１５０は、複数の離散型ＬＥＤなど、複数の離散した光源を含んでもよい。
【００２３】
図１に示す例示的な実施形態において、光源１５０は、光導波路１１０の一縁部に隣接して配置されている。一般に、１つ以上の光源が、光導波路１１０の１つ以上の縁部に隣接して配置されてもよい。例えば、図１において、更なる光源が、光導波路１１０の縁部１１２の近くに配置されてもよい。
【００２４】
可撓性層１２０及び１３０は、好ましくは、実質的に光透過性の材料で形成されている。例示的な材料には、環状オレフィン共重合体（ＣＯＣ）、ポリエステル（例えば、ポリエチレンナフタレート（ＰＥＮ）、ポリエチレンテレフタレート（ＰＥＴ）など）、ポリアクリレート、ポリメチルメタクリレート（ＰＭＭＡ）、ポリカーボネート（ＰＣ）、又は他の任意の好適な高分子材料などのガラス又は高分子材料が挙げられる。
【００２５】
いくつかの実施形態において、第１の可撓性層１２０及び／又は第２の可撓性層１３０は、約１００ｍｍ、又は５０ｍｍ、又は３０ｍｍ、又は１５ｍｍ、又は１０ｍｍ、又は５ｍｍの曲率半径まで損失を伴うことなく曲がりうるのに十分に薄いものである。
【００２６】
いくつかの実施形態において、第２の可撓性層の平均厚さは、第１の可撓性層の最大厚さの少なくとも５倍、又は１０倍、又は２０倍、又は４０倍である。
【００２７】
いくつかの実施形態において、第２の可撓性層の平均厚さは、１０００ミクロン、又は７００ミクロン、又は５００ミクロン、又は４００ミクロン、又は２５０ミクロン、又は２００ミクロンの大きさしかない。
【００２８】
いくつかの実施形態において、第１の可撓性層の最大厚さは、１００ミクロン、又は５０ミクロン、又は１５ミクロンの大きさしかない。
【００２９】
いくつかの実施形態において、第２の可撓性層１３０は自己支持体であるが、第１の可撓性層１２０は自己支持体ではない。ここで、「自己支持体」とは、分解したり、分裂したり、そうでなければ、意図する用途に不適当となる方式で破損したりすることなく、それ自体の重量に耐え且つそれ自体の重量を支持することができるフィルムを指す。
【００３０】
第２の可撓性層１３０は、図１に概略的に示すように、均一な厚さのスラブの形であってもよく、この場合、第１の主要面１３１と第２の主要面１３２は実質的に並行である。しかしながら、いくつかの用途において、第２の可撓性層は、ウェッジ又は他の不均一な厚さの層の形であってもよい。
【００３１】
図１の例示的な実施形態は、光抽出器１４０としての凸型レンズレットを示しており、各レンズレットが面１２１上に隆起を形成することを意味している。一般に、光抽出器１４０は、所望の光抽出をもたらしうる任意の形状を有することができる。例えば、光抽出器１４０は、面１２１にくぼみを形成する凹型構造、半球形の凸型レンズレットなどの凸型構造、プリズム形構造、正弦波形構造又は、例えば所望の光抽出パターンをもたらすのに好適となりうる直線形若しくは非直線形の小平面を持つ他の任意の形状を有することができる。
【００３２】
光抽出器１４０の分布及び密度は、望ましい光抽出が得られるように選択することができ、又、光源１５０の形状などの多数の要素に依存してもよい。例えば、図２Ａは、光導波路１１０の縁部１１１全体に隣接して配置された、線光源などの延在する光源２５０を備えるバックライトシステム２００を示している。この例において、複数の離散型光抽出器１４０が、並行な線２１０及び並行な線２１１など、複数の相互に並行な線に沿って配置されており、各線は少なくとも２つの離散型光抽出器を包含している。
【００３３】
一般に、光抽出器１４０の密度、形状、及び寸法は、抽出される光の望ましい光分布が得られるように、面１２１に沿って場所ごとに異なるものにすることができる。
【００３４】
光導波路１１０は、光導波路を組み込んだシステム内の他の構成要素に光導波路を位置合わせするための位置合わせ機構を有してもよい。例えば、光導波路１１０は、システム内の他の層に光導波路１１０を位置合わせするための、少なくとも１つの位置合わせ用のタブ及び／又は位置合わせ用のノッチ及び／又は位置合わせ用のホールを有していてもよい。例えば、図２Ａの光導波路１１０は、対応するスルーホール２５２を持つ丸み付きの位置合わせ用のタブ２５１と、対応するスルーホール２５４を持つ四角形の位置合わせ用のタブ２５３と、光導波路１１０の中に光導波路の縁部に沿って刻まれた側部又は縁部のノッチ２５５と、光導波路の角部にある角部のノッチ２５６と、光導波路の内部の場所に配置された位置合わせ用のホール２５７とを有している。
【００３５】
図２Ｂは、対応するホール２５９を持つ位置合わせ用のタブ２５８を有する光導波路１１０の概略的三次元図を示しており、このタブは、光導波路１１０を、例えばプレート２６０に位置合わせするために使用され、このプレート２６０は、ホール２５９に嵌合することが可能なポスト２６５を備えている。プレート２６０は、光を光導波路１１０に供給するための光源２７０を更に備えている。ポスト２６５をホール２５９に挿入することで、光源２７０を光導波路１１０の縁部１１１と位置合わせするのを容易にすることができる。
【００３６】
一般に、位置合わせ機構を光導波路１１０に、例えば非対称的な方式で配置して、位置合わせ機構とそれらに対応するプレート２６０内の機構との間の適合が一意的となるようにすることが望ましい。そのような位置合わせにより、例えば光導波路に面するプレート２６０の間違った側に光導波路を配置する可能性を減ずるか、又は排除することになる。
【００３７】
別の例として、図３は、ＬＥＤなど、本質的には点状の光源３５０を備えるバックライトシステム３００を示している。この例において、複数の離散型光抽出器１４０は、光源を中心とする、円弧３１０などの同心円弧に沿って配置されており、各円弧は、少なくとも２つの離散型光抽出器を包含している。
【００３８】
光抽出器１４０の密度は、第１の主要面１２１にわたって変動することができる。例えば、密度は、ｚ軸に沿った距離に応じて増加することができる。そのような配置により、例えば、光導波路１１０から抽出される光は、第１の主要面１２１にわたって均一な放射照度を有することになる。
【００３９】
図１は、離散型光抽出器１４０を示しており、隣接する光抽出器が、平坦なランド領域１８０によって分離されている。いくつかの用途において、光抽出器１４０は、第１の主要面１２１の全体のうちの一部分にわたって連続的なパターンを形成してもよい。場合によっては、光抽出器１４０は、第１の主要面１２１の全体にわたって連続的なパターンを形成してもよい。例えば、光抽出器１４０は、面１２１にわたって正弦波形のパターンを形成してもよい。
【００４０】
光導波路１１０は、ＵＶによる注型及び硬化、押出成形（押出注型、共押出など）、又は他の既知の方法など、任意の好適な製造法を使用して製造することができる。一例として、光導波路１１０は、可撓性層１２０及び１３０を共押出し、その後に、圧縮成形工程を行なうことで製造され、その圧縮成形工程の間に抽出器１４０が面１２１に形成される。
【００４１】
図４は、本発明の一実施形態によるディスプレイシステム４００の概略的側面図を示す。ディスプレイシステム４００は、光導波路１１０と、拡散体４２０と、第１の光方向変換層４３０と、第２の光方向変換層４４０と、液晶パネルなどのディスプレイパネル４５０とを備えている。ディスプレイシステム４００は、接着剤４０１によって光導波路１１０に付着された反射体４１０を更に備えている。拡散体４２０は、光導波路１１０及び第１の光方向変換層４３０にそれぞれ接着剤４０２及び４０３で付着されている。更に、第１及び第２の光方向変換層４３０と４４０とは、接着剤４０４によって付着されている。
【００４２】
図４は、ディスプレイシステム４００の対向縁部に沿って配置された接着剤４０１〜４０４を示している。一般に、各接着剤は、隣接する層間の適度な付着性が得られるように、１つ又は複数の場所に配置することができる。例えば、接着剤は、隣接する層の全ての縁部に沿って配置されてもよい。いくつかの用途において、接着剤は、隣接する層の周囲に沿って、離散した場所に配置されてもよい。いくつかの他の用途において、接着剤は、隣接する層の面全体を被覆してもよい。例えば、接着剤４０１は、それぞれ反射体４１０及び光導波路１１０の面４１１及び４１２の実質的に全体を被覆してもよい。
【００４３】
光方向変換層４３０は、基体４３２上に設けられたミクロ構造層４３１を備えている。同様に、光方向変換層４４０は、基体４４２上に設けられたミクロ構造層４４１を備えている。光方向変換層４３０及び４４０は、例えば米国特許第４，９０６，０７０号（発明者：コッブ（Cobb））及び第５，０５６，８９２号（コッブ（Cobb））に既に開示されている、通常のプリズム形の光方向変換層とすることができる。例えば、ミクロ構造層４３１は、ｙ軸に沿って直線状に延びた直線状プリズムを備えることができ、ミクロ構造層４４１は、ｚ軸に沿って直線状に延びた直線状プリズムを備えることができる。
【００４４】
通常の光方向変換層の作用については、例えば米国特許第５，０５６，８９２号（コッブ（Cobb））に既に記載されている。要約すれば、ミクロ構造層４３１及び４４１内の構造に臨界角を超える入射角で当たる光線は、完全に内部反射されて戻り、反射体４１０によって再利用される。一方で、それらの構造に臨界角未満の角度で入射する光線は、部分的に透過され、又部分的に反射される。最終的な結果として、光方向変換層４３０及び４４０は、完全に内部反射される光を再利用することによって、ディスプレイ輝度の向上をもたらすことができる。
【００４５】
図４に示す例示的な実施形態は、接着剤層４０２及び４０３などの多数の接着剤層を備えている。いくつかの用途において、ディスプレイシステム４００内の接着剤層のうちの１つ又は複数が取り除かれてもよい。例えば、いくつかの用途において、接着剤層４０２、４０３、及び４０４が取り除かれてもよく、その場合、残りの層は、各層の縁部を位置合わせすること、又は位置合わせ用のタブを備えることによってなど、他の手段によって互いに対して位置合わせされてもよい。
【００４６】
図５は、バックライトシステム５００の概略的側面図である。バックライトシステム５００は光導波路５１０、光導波路５１０の縁部５１１に隣接して配置された光源５１４、及び光導波路の異なる縁部５１２に隣接して配置された光源５１５を含む。
【００４７】
光導波路５１０は、第１の主要面５５１と第２の主要面５５２とを有する第１の可撓性層５２０と、第１の主要面５３１と第２の主要面５３２とを有する第２の可撓性層５３０と、第１の主要面５４１と第２の主要面５４２とを有する第３の可撓性層５４０とを備えている。第２の主要面５５２は第１の主要面５３１と接触しており、第１の主要面５４１は第２の主要面５３２と接触している。場合によっては、第２の主要面５５２の実質的に全体が、第１の主要面５３１の実質的に全体と接触する。場合によっては、第１の主要面５４１の実質的に全体が、第２の主要面５３２の実質的に全体と接触する。
【００４８】
第１の主要面５５１は、光導波路５１０内を伝播する光を抽出することが可能な、図１の光抽出器１４０と類似した複数の離散型光抽出器５４０を備えている。更に、第２の主要面５４２は、光導波路５１０内を伝播する光を抽出することが可能な、図１の光抽出器１４０と類似した複数の離散型光抽出器５６０を備えている。例示的な実施形態において、光導波路５１０全体は可撓性である。
【００４９】
場合によっては、第１の可撓性層５２０と、第２の可撓性層５３０と、第３の可撓性層５４０のうちの少なくとも１つとが、屈折率において等方性である。場合によっては、３つの層の全てが等方性である。
【００５０】
先に引用した全ての特許、特許出願、及び他の刊行物は、完全に再現されたものとして参照によって本願に組み込まれる。本発明の種々の態様の説明を容易にするために、本発明の特定の実施例について上で詳細に説明しているが、その意図は、本発明を実施例の細部に限定することではないことを理解されたい。むしろ、その意図は、添付の特許請求の範囲で定義される本発明の趣旨と範囲に含まれる全ての修正物、等価物、並びに代替物を網羅することである。
【００５１】
添付の図面と共に、本発明の種々の実施形態に関する詳細な説明をしたので、本発明をより完全に理解され評価されたことであろう。
【図面の簡単な説明】
【００５２】
【図１】バックライトシステムの概略的側面図。
【図２Ａ】離散型光抽出器を有するバックライトシステムの概略的上面図。
【図２Ｂ】プレートとの位置合わせするための位置合わせ用のタブを有するバックライトシステムの概略的三次元図。
【図３】離散型光抽出器を有するバックライトシステムの概略的上面図。
【図４】ディスプレイシステムの概略的側面図。
【図５】バックライトシステムの概略的側面図。
【図１】
2009539146.tif 000003
【図２Ａ】
2009539146.tif 000004
【図２Ｂ】
2009539146.tif 000005
【図３】
2009539146.tif 000006
【図４】
2009539146.tif 000007
【図５】
2009539146.tif 000008
【国際調査報告】
2009539146.tif 000009
2009539146.tif 000010